(57)【要約】【課題】電圧の異なる複数の電源が供給されるシステムにおいて、一の電圧の電源が停止したり電圧低下した場合や、電源バスに異常が発生した場合等における対策が必要。【解決手段】動作電圧の異なるＬＳＩ３４Ｎ３，３４Ｎ５に対応した電圧３．３Ｖ，５Ｖの電源２１，２２を供給する電子制御装置３４Ｎへの電源供給制御方式において、前記各電圧３．３Ｖ，５Ｖを電源監視回路６２１，６２２で監視し、一の電圧の異常時に、電圧生成器６３１，６３２により他の正常な電圧の電源から、前記異常な一の電圧に対応するＬＳＩの動作電圧に変えた電圧を当該異常な一の電圧に対応するＬＳＩに供給する。【選択図】        図２
2004240509.tif 000002
【特許請求の範囲】
【請求項１】
動作電圧の異なるＬＳＩに対応した電圧の電源を供給する電子制御装置への電源供給制御方式であって、前記各電圧を監視し、一の電圧の異常時に、他の正常な電圧の電源から、前記異常な一の電圧に対応するＬＳＩの動作電圧に変えた電圧を当該異常な一の電圧に対応するＬＳＩに供給する電子制御装置への電源供給制御方式。
【請求項２】
動作電圧の異なる複数のＬＳＩ、及び前記動作電圧の異なるＬＳＩに対応した電圧の電源を備えた電子制御システムであって、前記電源の各電圧を監視する電源監視回路、
及び前記電源監視回路により一の電圧の異常が検出されると他の正常な電圧の電源から前記異常な一の電圧に対応するＬＳＩの動作電圧に変えた電圧を当該異常な一の電圧に対応するＬＳＩに供給する電圧生成器、
を備えている電子制御システム。
【請求項３】
請求項２に記載の電子制御システムにおいて、前記電源監視監視回路により一の電圧の異常が検出され他の正常な電圧の電源から前記異常な一の電圧に対応するＬＳＩの動作電圧に変えた電圧を当該異常な一の電圧に対応するＬＳＩに供給していることを表示することを特徴とする電子制御システム。
【発明の詳細な説明】
【０００１】
【発明の属する技術分野】
この発明は、動作電圧の異なるＬＳＩに対応した電圧の電源を供給する電子制御装置への電源供給制御方式、および動作電圧の異なる複数のＬＳＩ、及び前記動作電圧の異なるＬＳＩに対応した電圧の電源を備えた電子制御システム、に関するものである。
【０００２】
【従来の技術】
従来の電子制御システムにおいて、供給電源の電圧低下または停止に対する対策は様々に講じられてきた。例えば供給電源または電子制御装置自体を二重化してしまい、電源供給停止や電圧低下等の電圧異常時には二重化したもう一方の電源または電子制御装置を使用するという方式がある。
【０００３】
その他に、例えば特開昭６０−１２９８７０号公報や特開昭６４−９１２２０号公報のように同じ電圧の電源が供給されている装置同士を接続する際にいずれか１つが供給停止または電圧低下した場合の対策や、また特公平７−５２８８０号公報のように電源供給停止や電圧低下等の電圧異常時に備えてバックアップ電源を供給する電源バスを設ける方式、特開昭５７−１６８５３２号公報のようにバスに接続されている各装置の電源装置を互いに接続して電源バスを構成する方式等がある。
【０００４】
【特許文献１】
特開昭６０−１２９８７０号公報（第４図、第３〜４欄）
【特許文献２】
特開昭６４−９１２２０号公報（第１図、第５〜８欄）
【特許文献３】
特公平７−５２８８０号公報（第１〜３図、第４〜６欄）
【特許文献４】
特開昭５７−１６８５３２号公報（第１図、第２〜３欄）
【０００５】
【発明が解決しようとする課題】
しかし、従来の電源供給停止や電圧低下等の電圧異常に対する対策では不十分であった。例えば、二重化対策では二重化した分、コストがかかり過ぎたり、二重化の整合性を保つのが困難である等の欠点があり、また、電源停止または電圧低下時はシステムに既存の同電圧電源で代替する特開昭６０−１２９８７０号公報や特開昭６４−９１２２０号公報、特開昭５７−１６８５３２号公報等の方式では同じ電圧の電源がすべて停止や電圧低下等の異常となってしまった場合は対処不可能である。また、電源バスを設ける特公平７−５２８８０号公報や特開昭５７−１６８５３２号公報のような方式では電源バスに異常が発生した場合には対処不可能である。また、これらの方式はいずれも、電源の電圧の種類が１種類だけ供給されているシステムに対してのみ効果的な方式であり、例えば、３．３Ｖと５Ｖ、１２Ｖと１５Ｖと２４Ｖ、等の複数種類の電圧の電源が供給されているシステムについては効果的な方式とは言えない。
【０００６】
この発明は、前述のような実情に鑑みてなされたもので、電圧の異なる複数の電源が供給されるシステムにおいて、一の電圧の電源が停止したり電圧低下した場合や、電源バスに異常が発生した場合等においても、当該電圧の給電対象であるＬＳＩに正常な電圧を継続して給電できるようにすることを目的とするものである。
【０００７】
【課題を解決するための手段】
この発明に係る電子制御装置への電源供給制御方式は、動作電圧の異なるＬＳＩに対応した電圧の電源を供給する電子制御装置への電源供給制御方式であって、前記各電圧を監視し、一の電圧の異常時に、他の正常な電圧の電源から、前記異常な一の電圧に対応するＬＳＩの動作電圧に変えた電圧を当該異常な一の電圧に対応するＬＳＩに供給するものである。
【０００８】
また、この発明に係る電子制御システムは、動作電圧の異なる複数のＬＳＩ、及び前記動作電圧の異なるＬＳＩに対応した電圧の電源を備えた電子制御システムであって、前記電源の各電圧を監視する電源監視監視回路、及び前記電源監視監視回路により一の電圧の異常が検出されると他の正常な電圧の電源から前記異常な一の電圧に対応するＬＳＩの動作電圧に変えた電圧を、当該異常な一の電圧の電源から切り替えて、前記異常な一の電圧に対応するＬＳＩに供給する電圧生成器を備えているものである。
【０００９】
【発明の実施の形態】
実施の形態１．
以下、この発明の実施の形態１を、発電プラント、工業プラント、その他産業用制御システムや装置に使用される電源供給制御方式及び電子制御システムの事例の場合について、図１〜図５によって説明する。図１〜図５は何れもバスとしてＣｏｍｐａｃｔＰＣＩバスを使用した場合の事例を示してあり、図１はこの発明が適用される電子制御システムの構成の一例を示すブロック図、図２は電圧の異なる複数の電源（５Ｖ、および３．３Ｖ）の電圧が何れも正常な場合の電圧電源供給制御方式を実行する電源供給制御装置まわりの構成を示す図、図３は一の電源（５Ｖ）の電圧が異常な場合の電圧電源供給制御方式を実行する電源供給制御装置まわりの構成を示す図、図４は他の一の電源（３．３Ｖ）の電圧が異常な場合の電圧電源供給制御方式を実行する電源供給制御装置まわりの構成を示す図、図５は電源供給装置の接続回路の例を示す図である。
【００１０】
先ず、図１〜図４の構成を説明する。ＰＣＩバスを産業用に拡張して活線挿抜を可能にしたり回路に終端を設けたりして構成されたＣｏｍｐａｃｔＰＣＩバスからなるバス１に、電源供給カ−ド２、ＣＰＵカ−ド３、Ｉ／Ｏカ−ド４、他の電子制御システムを構成するのに必要な各種カ−ド群３４Ｎが活線挿抜可能に接続されており、前記ＣＰＵカ−ド３のＣＰＵ等によって制御される被制御装置５がＬＡＮ等を介して前記バス１に接続されている。
【００１１】
前記電源供給カ−ド２は、それぞれ前記バス１に活線挿抜可能に接続された５Ｖ供給電源２１と３．３Ｖ供給電源２２とから構成されている。前記ＣＰＵカ−ド３、Ｉ／Ｏカ−ド４、他の電子制御システムを構成するのに必要な各種カ−ド群３４Ｎは、動作する電圧の観点で見た場合、３Ｖで動作する３Ｖ動作ＬＳＩ群３４Ｎ３と５Ｖで動作する５Ｖ動作ＬＳＩ群３４Ｎ５とで構成されている。
【００１２】
前記５Ｖ供給電源２１及び前記３．３Ｖ供給電源２２の各電圧を前記バス１を介して監視し一の電圧の異常時に他の正常な電圧の電源から前記異常な一の電圧に対応するＬＳＩの動作電圧に変えた電圧を当該異常な一の電圧に対応するＬＳＩに供給する電源供給装置６が設けられている。
【００１３】
この電源供給装置６は、前記バス１から前記５Ｖ動作ＬＳＩ群３４Ｎ５へ５Ｖを給電する給電ライン２１Ｏ１と、前記バス１から前記３Ｖ動作ＬＳＩ群３４Ｎ３へ３．３Ｖを給電する給電ライン２２Ｏ１と、前記バス１から３．３Ｖが給電ライン２２Ｏ２を介して供給される電源監視回路６２１と、前記バス１から５Ｖが給電ライン２１Ｏ３を介して供給される電源監視回路６２２と、前記バス１から５Ｖが給電ライン２１Ｏ２を介して供給され当該供給された５Ｖの電圧に基づいて３．３Ｖの電圧を生成する電圧生成器６３１と、前記バス１から３．３Ｖが給電ライン２２Ｏ３を介して供給され当該供給された３．３Ｖの電圧に基づいて５Ｖを生成する電圧生成器６３２と、で構成されており、その概念は図２〜図４に示し、具体的接続回路は図５に示してある。
【００１４】
なお、前記給電ライン２１Ｏ１及び前記給電ライン２２Ｏ１には図５に示すようにダイオ−ドＤ３、Ｄ５が挿入接続されている。また、前記電圧生成器６３１及び電圧生成器６３２は、各社から市販のスイッチングレギュレ−タ等を使用すればよい。
【００１５】
前記電源監視回路６２１は、前記バス１上の３．３Ｖ電源電圧が正常な場合は前記電圧生成器６３１に動作不可の制御信号６２１Ｏを出力し、前記バス１上の３．３Ｖ電源電圧が異常な場合、即ち前記バス１上の３．３Ｖ電源電圧が所定値以下に低下したり無くなったりした場合には前記電圧生成器６３１に動作可の制御信号６２１Ｏ及び電圧異常時動作表示信号６２１Ａを出力するものである。なお、前記電圧異常時動作表示信号６２１Ａは、前記電子制御システムを構成するのに必要な各種カ−ド群３４Ｎ上のＬＥＤ等の表示要素及び前記バス１上の表示要素へ供給される。
【００１６】
前記電圧生成器６３１は、前記電源監視回路６２１から動作可の制御信号６２１Ｏが供給されると前記バス１上の５Ｖ電源電圧に基づいて３．３Ｖの電圧を生成し、３．３Ｖの電圧出力６３１Ｏを、前記３Ｖ動作ＬＳＩ群３４Ｎ３へ３．３Ｖを給電する給電ライン２２Ｏ１に供給するものである。
【００１７】
前記電源監視回路６２２は、前記バス１上の５Ｖ電源電圧が正常な場合は前記電圧生成器６３２に動作不可の制御信号６２２Ｏを出力し、前記バス１上の５Ｖ電源電圧が異常な場合、即ち前記バス１上の５Ｖ電源電圧が所定値以下に低下したり無くなったりした場合には前記電圧生成器６３２に動作可の制御信号６２２Ｏ及び電圧異常時動作表示信号６２２Ａを出力するものである。なお、前記電圧異常時動作表示信号６２２Ａは、前記電子制御システムを構成するのに必要な各種カ−ド群３４Ｎ上のＬＥＤ等の表示要素及び前記バス１上の表示要素へ供給される。
【００１８】
前記電圧生成器６３２は、前記電源監視回路６２２から動作可の制御信号６２２Ｏが供給されると前記バス１上の３．３Ｖ電源電圧に基づいて５Ｖの電圧を生成し、５Ｖの電圧出力６３２Ｏを、前記５Ｖ動作ＬＳＩ群３４Ｎ５へ５Ｖを給電する給電ライン２１Ｏ１に供給するものである。
【００１９】
なお、前記給電ライン２１Ｏ１、前記給電ライン２１Ｏ２、前記給電ライン２１Ｏ３、前記給電ライン２２Ｏ１、前記給電ライン２２Ｏ２、前記給電ライン２２Ｏ３、前記電源監視回路６２１、前記電源監視回路６２２、前記電圧生成器６３１、前記電圧生成器６３２、前記制御信号６２１Ｏの信号ライン、前記制御信号６２２Ｏ信号ライン、前記電圧出力６３１Ｏの出力ライン、前記電圧出力６３２Ｏの出力ライン、前記電圧異常時動作表示信号６２１Ａの信号線、及び前記電圧異常時動作表示信号６２２Ａの信号線は、前述のこの発明の実施の形態１と同様に同一基板上に何れも相互に電気的に絶縁して形成されている。
【００２０】
次に、図２〜図４によって動作説明する。図２はバス１上の３．３Ｖ電源の電圧及び５Ｖ電源の電圧が何れも所定値内にあり通常の動作状態にある場合は、電源監視回路６２１から電圧生成器６３１へ出ている制御信号６２１Ｏ、及び電源監視回路６２２から電圧生成器６３２へ出ている制御信号６２２Ｏは、何れも動作不可の信号を出している。
【００２１】
従って、電圧生成器６３１はその電圧出力６３１Ｏを、３Ｖ動作ＬＳＩ群３４Ｎ３へ３．３Ｖを給電する給電ライン２２Ｏ１へ供給しておらず、３Ｖ動作ＬＳＩ群３４Ｎ３は給電ライン２２Ｏ１を介してバス１から３．３Ｖ電源が供給されている。同様に、電圧生成器６３２はその電圧出力６３２Ｏを、５Ｖ動作ＬＳＩ群３４Ｎ５へ５Ｖを給電する給電ライン２１Ｏ１へ供給しておらず、５Ｖ動作ＬＳＩ群３４Ｎ５は給電ライン２１Ｏ１を介してバス１から５Ｖ電源が供給されている。
【００２２】
また、電源電圧の異常時に前記電源監視回路６２１、６２２から出る電圧異常時動作表示信号６２１Ａ、６２２Ａも無為の状態である。
【００２３】
図３は、５Ｖ供給電源２１や５Ｖ供給電源２１からのバス１上の５Ｖ電源が停止または電圧低下した場合の例について示してある。この図３の場合は、各種カ−ド群３４Ｎに供給されている５Ｖの給電ライン２１Ｏ１、２１Ｏ２、２１Ｏ３が同時に停止または電圧低下する。この時、電源監視回路６２２は５Ｖの電源異常を検出し、電圧生成器６３２を動作させる制御信号６２２Ｏを出すと同時に電圧異常時動作表示信号６２２ＡをＣｏｍｐａｃｔＰＣＩバス１や各種カ−ド群３４Ｎ内のＬＥＤ等の表示要素へと出す。
【００２４】
電源監視回路６２２から動作信号６２２Ｏを受けた電圧生成器６３２は、供給継続中の３．３Ｖ電源から５Ｖを生成し、５Ｖの電圧出力６３２Ｏを、給電ライン２２Ｏ１を介して５Ｖ動作ＬＳＩ群３４Ｎ５に供給する。従って、５Ｖ供給電源２１や５Ｖ供給電源２１からのバス１上の５Ｖ電源が停止または電圧低下した場合であっても、５Ｖ動作ＬＳＩ群３４Ｎ５は電圧生成器６３２からの所定電圧５Ｖで通常動作を継続できる。
【００２５】
図４は、前述の図３の場合とは逆に、３．３Ｖ供給電源２２や３．３Ｖ供給電源２２からのバス１上の３．３Ｖ電源が停止または電圧低下した例について示してある。この図４の場合は、各種カ−ド群３４Ｎに供給されている３．３Ｖの給電ライン２２Ｏ１、２２Ｏ２、２２Ｏ３が同時に停止または電圧低下する。
【００２６】
３．３Ｖの給電ライン２１Ｏ１、２１Ｏ２、２２Ｏ３が同時に停止または電圧低下すると、この時、電源監視回路６２１は３．３Ｖの電源異常を検出し、電圧生成器６３１を動作させる制御信号６２１Ｏを出すと同時に電圧異常時動作表示信号６２１ＡをＣｏｍｐａｃｔＰＣＩバス１や各種カ−ド群３４Ｎ内のＬＥＤ等の表示要素へと出し、異常の発生およびシステム継続中である事をシステム管理者に通知して、異常の発生した電源または電源バスを交換させることができる。
【００２７】
電源監視回路６２１から動作信号６２１Ｏを受けた電圧生成器６３１は、供給継続中の５Ｖ電源から３．３Ｖを生成し、３．３Ｖの電圧出力６２１Ｏを、給電ライン２２Ｏ１を介して３．３Ｖ動作ＬＳＩ群３４Ｎ３に供給する。従って、３．３Ｖ供給電源２２や３．３Ｖ供給電源２２からのバス１上の３．３Ｖ電源が停止または電圧低下した場合であっても、３．３Ｖ動作ＬＳＩ群３４Ｎ３は電圧生成器６３１からの所定電圧３．３Ｖで通常動作を継続できる。換言すれば、５Ｖと３．３Ｖの２種類の電源が供給されているＣｏｍｐａｃｔＰＣＩバスのシステムにおいて、何れか片方の電源が供給停止または電圧低下してしまってもシステムの動作が継続できる。
【００２８】
実施の形態２．
以下、この発明の実施の形態２を、発電プラント、工業プラント、その他産業用制御システムや装置に使用される電源供給制御方式及び電子制御システムの事例の場合について、図６及び図７によって説明する。図６及び図７は何れもバスとしてＣｏｍｐａｃｔＰＣＩバス以外のバスを使用した場合の事例を示してあり、図６は電圧の異なる複数の電源（ＡＶ、ＢＶ。なお、Ａ≠Ｂ）の電圧が何れも正常な場合の電圧電源供給制御方式を実行する電源供給制御装置まわりの構成を示す図、図７は一の電源（ＡＶ）の電圧が異常な場合の電圧電源供給制御方式を実行する電源供給制御装置まわりの構成を示す図である。なお、図６及び図７において、前述の図１〜図５と同一部分または相当部分には同一符号を付してある。
【００２９】
先ず、構成を説明する。この発明の実施の形態２も、前述のこの発明の実施の形態１と同様に、前述の図１に例示の電子制御システムに適用され、ＣｏｍｐａｃｔＰＣＩバス以外のバス１に、電源供給カ−ド、ＣＰＵカ−ド、Ｉ／Ｏカ−ド、他の電子制御システムを構成するのに必要な各種カ−ド群が接続されており、前記ＣＰＵカ−ドのＣＰＵ等によって制御される被制御装置がＬＡＮ等を介して前記バス１に接続される。
【００３０】
図６及び図７において、電源供給カ−ド２は、それぞれＣｏｍｐａｃｔＰＣＩバス以外のバス１に接続されたＡＶ供給電源２１とＢＶ供給電源２２とから構成されている。なお、前記Ａ≠前記Ｂである。前述の図１における前記ＣＰＵカ−ド３、Ｉ／Ｏカ−ド４、他の電子制御システムを構成するのに必要な各種カ−ド群３４Ｎは、動作する電圧の観点で見た場合、図６及び図７に示すように、ＡＶで動作するＡＶ動作ＬＳＩ群３４ＮＡと、ＢＶで動作するＢＶ動作ＬＳＩ群３４ＮＢと、で構成されている。
【００３１】
前記ＡＶ供給電源２１及び前記ＢＶ供給電源２２の各電圧を前記バス１を介して監視し一の電圧の異常時に他の正常な電圧の電源から前記異常な一の電圧に対応するＬＳＩの動作電圧に変えた電圧を当該異常な一の電圧に対応するＬＳＩに供給する電源供給装置６が設けられている。なお、ＡＶは例えば＋１２Ｖ（−１２Ｖ）、ＢＶは例えば＋１５Ｖ（−１５Ｖ）である。
【００３２】
この電源供給装置６は、前記バス１から前記ＡＶ動作ＬＳＩ群３４ＮＡへＡＶを給電する給電ライン２１Ｏ１と、前記バス１から前記ＢＶ動作ＬＳＩ群３４ＮＢへＢＶを給電する給電ライン２２Ｏ１と、前記バス１からＢＶが給電ライン２２Ｏ２を介して供給される電源監視回路６２１と、前記バス１からＡＶが給電ライン２１Ｏ３を介して供給される電源監視回路６２２と、前記バス１からＡＶが給電ライン２１Ｏ２を介して供給され当該供給されたＡＶの電圧に基づいてＢＶの電圧を生成する電圧生成器６３１と、前記バス１からＢＶが給電ライン２２Ｏ３を介して供給され当該供給されたＢＶの電圧に基づいてＡＶを生成する電圧生成器６３２と、で構成されている。
【００３３】
前記電源監視回路６２１は、前記バス１上のＢＶ電源電圧が正常な場合は前記電圧生成器６３１に動作不可の制御信号６２１Ｏを出力し、前記バス１上のＢＶ電源電圧が異常な場合、即ち前記バス１上のＢＶ電源電圧が所定値以下に低下したり無くなったりした場合には前記電圧生成器６３１に動作可の制御信号６２１Ｏ及び電圧異常時動作表示信号６２１Ａを出力するものである。なお、前記電圧異常時動作表示信号６２１Ａは、前記電子制御システムを構成するのに必要な各種カ−ド群３４Ｎ上のＬＥＤ等の表示要素及び前記バス１上の表示要素へ供給される。
【００３４】
前記電圧生成器６３１は、前記電源監視回路６２１から動作可の制御信号６２１Ｏが供給されると前記バス１上のＡＶ電源電圧に基づいてＢＶの電圧を生成し、ＢＶの電圧出力６３１Ｏを、前記ＢＶ動作ＬＳＩ群３４ＮＢへＢＶを給電する給電ライン２２Ｏ１に供給するものである。
【００３５】
前記電源監視回路６２２は、前記バス１上のＡＶ電源電圧が正常な場合は前記電圧生成器６３２に動作不可の制御信号６２２Ｏを出力し、前記バス１上のＡＶ電源電圧が異常な場合、即ち前記バス１上のＡＶ電源電圧が所定値以下に低下したり無くなったりした場合には前記電圧生成器６３２に動作可の制御信号６２２Ｏ及び電圧異常時動作表示信号６２２Ａを出力するものである。
【００３６】
前記電圧生成器６３２は、前記電源監視回路６２２から動作可の制御信号６２２Ｏが供給されると前記バス１上のＢＶ電源電圧に基づいてＡＶの電圧を生成し、ＡＶの電圧出力６３２Ｏを、前記ＡＶ動作ＬＳＩ群３４ＮＡへＡＶを給電する給電ライン２１Ｏ１に供給するものである。なお、前記電圧異常時動作表示信号６２２Ａは、前記電子制御システムを構成するのに必要な各種カ−ド群３４Ｎ上のＬＥＤ等の表示要素及び前記バス１上の表示要素へ供給される。
【００３７】
なお、前記給電ライン２１Ｏ１、前記給電ライン２１Ｏ２、前記給電ライン２１Ｏ３、前記給電ライン２２Ｏ１、前記給電ライン２２Ｏ２、前記給電ライン２２Ｏ３、前記電源監視回路６２１、前記電源監視回路６２２、前記電圧生成器６３１、前記電圧生成器６３２、前記制御信号６２１Ｏの信号ライン、前記制御信号６２２Ｏ信号ライン、前記電圧出力６３１Ｏの出力ライン、前記電圧出力６３２Ｏの出力ライン、前記電圧異常時動作表示信号６２１Ａの信号線、及び前記電圧異常時動作表示信号６２２Ａの信号線は、前述のこの発明の実施の形態１と同様に同一基板上に何れも相互に電気的に絶縁して形成されている。
【００３８】
次に、図６及び図７によって動作説明する。図６はバス１上のＢＶ電源の電圧及びＡＶ電源の電圧が何れも所定値内にあり通常の動作状態にある場合は、電源監視回路６２１から電圧生成器６３１へ出ている制御信号６２１Ｏ、及び電源監視回路６２２から電圧生成器６３２へ出ている制御信号６３２Ｏは、何れも動作不可の信号を出している。
【００３９】
従って、電圧生成器６３１はその電圧出力６３１Ｏを、ＢＶ動作ＬＳＩ群３４ＮＢへＢＶを給電する給電ライン２２Ｏ１へ供給しておらず、ＢＶ動作ＬＳＩ群３４ＮＢは給電ライン２２Ｏ１を介してバス１からＢＶ電源が供給されている。同様に、電圧生成器６３２はその電圧出力６３２Ｏを、ＡＶ動作ＬＳＩ群３４ＮＡへＡＶを給電する給電ライン２１Ｏ１へ供給しておらず、ＡＶ動作ＬＳＩ群３４ＮＡは給電ライン２１Ｏ１を介してバス１からＡＶ電源が供給されている。
【００４０】
また、電源電圧の異常時に前記電源監視回路６２１、６２２から出る電圧異常時動作表示信号６２１Ａ、６２２Ａも無為の状態である。
【００４１】
図７は、ＡＶ供給電源２１やＡＶ供給電源２１からのバス１上のＡＶ電源が停止または電圧低下した場合の例について示してある。この図７の場合は、各種カ−ド群３４Ｎに供給されているＡＶの給電ライン２１Ｏ１、２１Ｏ２、２２Ｏ３が同時に停止または電圧低下する。
【００４２】
ＡＶの給電ライン２１Ｏ１、２１Ｏ２、２２Ｏ３が同時に停止または電圧低下すると、電源監視回路６２２はＡＶの電源異常を検出し、電圧生成器６３２を動作させる制御信号６２２Ｏを出すと同時に電圧異常時動作表示信号６２２Ａをバス１や各種カ−ド群３４Ｎ内のＬＥＤ等の表示要素へと出し、異常の発生およびシステム継続中である事をシステム管理者に通知して、異常の発生した電源または電源バスを交換させることができる。
【００４３】
電源監視回路６２２から動作信号６２２Ｏを受けた電圧生成器６３２は、供給継続中のＢＶ電源からＡＶを生成し、ＡＶの電圧出力６３２Ｏを、給電ライン２１Ｏ１を介してＡＶ動作ＬＳＩ群３４ＮＡに供給する。
【００４４】
従って、ＡＶ供給電源２１やＡＶ供給電源２１からのバス１上のＡＶ電源が停止または電圧低下した場合であっても、ＡＶ動作ＬＳＩ群３４ＮＡは電圧生成器６３２からの所定電圧ＡＶで通常動作を継続できる。換言すれば、ＡＶとＢＶの２種類の電源が供給されているＣｏｍｐａｃｔＰＣＩバス以外のバスを使用するシステムにおいて、何れか片方の電源が供給停止または電圧低下してしまってもシステムの動作が継続できる。
【００４５】
実施の形態３．
以下、この発明の実施の形態３を、発電プラント、工業プラント、その他産業用制御システムや装置に使用される電源供給制御方式及び電子制御システムの事例の場合について、図８〜図１１によって説明する。この発明の実施の形態３は前述のこの発明の実施の形態２とは違い、異なる電圧の電源を３つ使用した場合を例示してある。図８は電圧の異なる複数の電源（ＡＶ、ＢＶ、およびＣＶ。なお、Ａ≠Ｂ、Ｂ≠Ｃ、Ｃ≠Ａである）の電圧が何れも正常な場合の電圧電源供給制御方式を実行する電源供給制御装置まわりの構成を示す図、図９は一の電源（ＡＶ）の電圧が異常な場合の電圧電源供給制御方式を実行する電源供給制御装置まわりの構成を示す図、図１０は２つの電源（ＡＶ及びＢＶ）の電圧が異常な場合の電圧電源供給制御方式を実行する電源供給制御装置まわりの構成を示す図、図１１は電源供給装置の接続回路の例を示す図である。なお、図８〜１１において、前述の図１〜図７と同一部分または相当部分には同一符号を付してある。
【００４６】
先ず、構成を説明する。この発明の実施の形態３も、前述のこの発明の実施の形態１と同様に、前述の図１に例示の電子制御システムに適用され、ＣｏｍｐａｃｔＰＣＩバス以外のバス１に、電源供給カ−ド２、ＣＰＵカ−ド３、Ｉ／Ｏカ−ド４、他の電子制御システムを構成するのに必要な各種カ−ド群３４Ｎが接続されており、前記ＣＰＵカ−ド３のＣＰＵ等によって制御される被制御装置５がＬＡＮ等を介して前記バス１に接続される。
【００４７】
図８〜図１１において、電源供給カ−ド２は、それぞれＣｏｍｐａｃｔＰＣＩバス以外のバス１に接続されたＡＶ供給電源２１とＢＶ供給電源２２とＣＶ供給電源２３とから構成されている。なお、前記Ａ≠前記Ｂ、前記Ｂ≠前記Ｃ、前記Ｃ≠前記Ａである。前述の図１におけるＣＰＵカ−ド３、Ｉ／Ｏカ−ド４、他の電子制御システムを構成するのに必要な各種カ−ド群３４Ｎは、動作する電圧の観点で見た場合、図８〜１１に示すように、ＡＶで動作するＡＶ動作ＬＳＩ群３４ＮＡと、ＢＶで動作するＢＶ動作ＬＳＩ群３４ＮＢと、ＣＶで動作するＣＶ動作ＬＳＩ群３４ＮＣと、で構成されている。
【００４８】
前記ＡＶ供給電源２１、前記ＢＶ供給電源２２、及び前記ＣＶ供給電源２３の各電圧を前記バス１を介して監視し一の電源電圧や２つの電源電圧の異常時に他の正常な電圧の電源から前記異常な電圧に対応するＬＳＩの動作電圧に変えた電圧を当該異常な電圧に対応するＬＳＩに供給する電源供給装置６が設けられている。なお、ＡＶは例えば＋１２Ｖ（−１２Ｖ）、ＢＶは例えば＋１５Ｖ（−１５Ｖ）、ＣＶは例えば＋２４Ｖ（−２４Ｖ）である。
【００４９】
この電源供給装置６は、前記バス１から前記ＡＶ動作ＬＳＩ群３４ＮＡへＡＶを給電する給電ライン２１Ｏ１と、前記バス１から前記ＢＶ動作ＬＳＩ群３４ＮＢへＢＶを給電する給電ライン２２Ｏ１と、前記バス１から前記ＣＶ動作ＬＳＩ群３４ＮＣへＣＶを給電する給電ライン２３Ｏ１と、前記バス１からＢＶが給電ライン２２Ｏ２を介して供給される電源監視回路６２１と、前記バス１からＡＶが給電ライン２１Ｏ２を介して供給される電源監視回路６２２と、前記バス１からＣＶが給電ライン２３Ｏ２を介して供給される電源監視回路６２３と、前記バス１からＣＶが給電ライン２３Ｏ１を介して供給され当該供給されたＣＶの電圧に基づいてＢＶの電圧を生成する電圧生成器６３１と、前記バス１からＢＶが給電ライン２２Ｏ１を介して供給され当該供給されたＢＶの電圧に基づいてＡＶを生成する電圧生成器６３２と、前記バス１からＡＶが給電ライン２２Ｏ１を介して供給され当該供給されたＡＶの電圧に基づいてＣＶを生成する電圧生成器６３３とで構成されており、その概念は図８〜図１０に示し、具体的接続回路は図１１に示してある。
【００５０】
なお、給電ライン２１Ｏ１、給電ライン２２Ｏ１、及び給電ライン２３Ｏ１には図１１に示すようにダイオ−ドＤＡ、ＤＢ、ＤＣが挿入接続されている。また、前記電圧生成器６３３は、各社から市販のスイッチングレギュレ−タ等を使用すればよい。
【００５１】
前記電源監視回路６２１は、前記バス１上のＢＶ電源電圧が正常な場合は前記電圧生成器６３１に動作不可の制御信号６２１Ｏを出力し、前記バス１上のＢＶ電源電圧が異常な場合、即ち前記バス１上のＢＶ電源電圧が所定値以下に低下したり無くなったりした場合には前記電圧生成器６３１に動作可の制御信号６２１Ｏ及び電圧異常時動作表示信号６２１Ａを出力するものである。なお、前記電圧異常時動作表示信号６２１Ａは、前記電子制御システムを構成するのに必要な各種カ−ド群３４Ｎ上のＬＥＤ等の表示要素及び前記バス１上の表示要素へ供給される。
【００５２】
前記電圧生成器６３１は、前記電源監視回路６２１から動作可の制御信号６２１Ｏが供給されると前記バス１上のＣＶ電源電圧に基づいてＢＶの電圧を生成し、ＢＶの電圧出力６３１Ｏを、前記ＢＶ動作ＬＳＩ群３４ＮＢへＢＶを給電する給電ライン２２Ｏ１に供給するものである。
【００５３】
前記電源監視回路６２２は、前記バス１上のＡＶ電源電圧が正常な場合は前記電圧生成器６３２に動作不可の制御信号６２２Ｏを出力し、前記バス１上のＡＶ電源電圧が異常な場合、即ち前記バス１上のＡＶ電源電圧が所定値以下に低下したり無くなったりした場合には前記電圧生成器６３２に動作可の制御信号６２２Ｏ及び電圧異常時動作表示信号６２２Ａを出力するものである。なお、前記電圧異常時動作表示信号６２２Ａは、前記電子制御システムを構成するのに必要な各種カ−ド群３４Ｎ上のＬＥＤ等の表示要素及び前記バス１上の表示要素へ供給される。
【００５４】
前記電圧生成器６３２は、前記電源監視回路６２２から動作可の制御信号６２２Ｏが供給されると前記バス１上のＢＶ電源電圧に基づいてＡＶの電圧を生成し、ＡＶの電圧出力６３２Ｏを、前記ＡＶ動作ＬＳＩ群３４ＮＡへＡＶを給電する給電ライン２１Ｏ１に供給するものである。
【００５５】
前記電源監視回路６２３は、前記バス１上のＣＶ電源電圧が正常な場合は前記電圧生成器６３３に動作不可の制御信号６２３Ｏを出力し、前記バス１上のＣＶ電源電圧が異常な場合、即ち前記バス１上のＣＶ電源電圧が所定値以下に低下したり無くなったりした場合には前記電圧生成器６３３に動作可の制御信号６２３Ｏ及び電圧異常時動作表示信号６２３Ａを出力するものである。なお、前記電圧異常時動作表示信号６２３Ａは、前記電子制御システムを構成するのに必要な各種カ−ド群３４Ｎ上のＬＥＤ等の表示要素及び前記バス１上の表示要素へ供給される。
【００５６】
前記電圧生成器６３３は、前記電源監視回路６２３から動作可の制御信号６２３Ｏが供給されると前記バス１上のＡＶ電源電圧に基づいてＣＶの電圧を生成し、ＣＶの電圧出力６３３Ｏを、前記ＣＶ動作ＬＳＩ群３４ＮＣへＣＶを給電する給電ライン２３Ｏ１に供給するものである。
【００５７】
なお、前記給電ライン２１Ｏ１、前記給電ライン２１Ｏ２、前記給電ライン２２Ｏ１、前記給電ライン２２Ｏ２、前記給電ライン２３Ｏ１、前記給電ライン２３Ｏ２、前記電源監視回路６２１、前記電源監視回路６２２、前記電源監視回路６２３、前記電圧生成器６３１、前記電圧生成器６３２、前記電圧生成器６３３、前記制御信号６２１Ｏの信号ライン、前記制御信号６２２Ｏの信号ライン、前記制御信号６２３Ｏの信号ライン、前記電圧出力６３１Ｏの出力ライン、前記電圧出力６３２Ｏの出力ライン、前記電圧出力６３３Ｏの出力ライン、前記電圧異常時動作表示信号６２１Ａの信号線、前記電圧異常時動作表示信号６２２Ａの信号線は、及び前記電圧異常時動作表示信号６２３Ａの信号線は、前述のこの発明の実施の形態１と同様に同一基板上に何れも相互に電気的に絶縁して形成されている。
【００５８】
次に、図８〜図１０によって動作説明する。図８はバス１上のＡＶ電源の電圧、ＢＶ電源の電圧、及びＣＶ電源の電圧が何れも所定値内にあり通常の動作状態にある場合は、電源監視回路６２１から電圧生成器６３１へ出ている制御信号６２１Ｏ、電源監視回路６２２から電圧生成器６３２へ出ている制御信号６２２Ｏ、及び電源監視回路６２３から電圧生成器６３３へ出ている制御信号６２３Ｏは、何れも動作不可の信号を出している。
【００５９】
従って、電圧生成器６３１はその電圧出力６３１Ｏを、ＢＶ動作ＬＳＩ群３４ＮＢへＢＶを給電する給電ライン２２Ｏ１へ供給しておらず、ＢＶ動作ＬＳＩ群３４ＮＢは給電ライン２２Ｏ１を介してバス１からＢＶ電源が供給されている。
【００６０】
同様に、電圧生成器６３２はその電圧出力６３２Ｏを、ＡＶ動作ＬＳＩ群３４ＮＡへＡＶを給電する給電ライン２１Ｏ１へ供給しておらず、ＡＶ動作ＬＳＩ群３４ＮＡは給電ライン２１Ｏ１を介してバス１からＡＶ電源が供給されている。
【００６１】
更に、電圧生成器６３３はその電圧出力６３３Ｏを、ＣＶ動作ＬＳＩ群３４ＮＣへＣＶを給電する給電ライン２３Ｏ１へ供給しておらず、ＣＶ動作ＬＳＩ群３４ＮＣは給電ライン２３Ｏ１を介してバス１からＣＶ電源が供給されている。
【００６２】
また、電源電圧の異常時に前記電源監視回路６２１、６２２、６２３から出る電圧異常時動作表示信号６２１Ａ、６２２Ａ、６２３Ａも、無為の状態である。
【００６３】
図９は、ＡＶ供給電源２１やＡＶ供給電源２１からのバス１上のＡＶ電源が停止または電圧低下した場合の例について示してある。この図９の場合は、各種カ−ド群３４Ｎに供給されているＡＶの給電ライン２１Ｏ１、２１Ｏ２が同時に停止または電圧低下する。
【００６４】
ＡＶの給電ライン２１Ｏ１、２１Ｏ２が同時に停止または電圧低下すると、電源監視回路６２２はＡＶの電源異常を検出し、電圧生成器６３２を動作させる制御信号６２２Ｏを出すと同時に電圧異常時動作表示信号６２２Ａをバス１や各種カ−ド群３４Ｎ内のＬＥＤ等の表示要素へと出し、異常の発生およびシステム継続中である事をシステム管理者に通知して、異常の発生した電源または電源バスを交換させることができる。
【００６５】
電源監視回路６２２から動作信号６２２Ｏを受けた電圧生成器６３２は、供給継続中のＢＶ電源からＡＶを生成し、ＡＶの電圧出力６３２Ｏを、給電ライン２１Ｏ１を介してＡＶ動作ＬＳＩ群３４ＮＡに供給する。従って、ＡＶ供給電源２１やＡＶ供給電源２１からのバス１上のＡＶ電源が停止または電圧低下した場合であっても、ＡＶ動作ＬＳＩ群３４ＮＡは電圧生成器６３２からの所定電圧ＡＶで通常動作を継続できる。
【００６６】
図１０は、ＡＶ供給電源２１やＡＶ供給電源２１からのバス１上のＡＶ電源およびＢＶ電源の双方が停止または電圧低下した場合の例について示してある。この図１０の場合は、各種カ−ド群３４Ｎに供給されているＡＶの給電ライン２１Ｏ１、２１Ｏ２およびＢＶの給電ライン２２Ｏ１、２２Ｏ２が同時に停止または電圧低下する。この時、電源監視回路６２２はＡＶの電源異常を検出し、電源監視回路６２１はＢＶの電源異常を検出する。
【００６７】
この検出により、前記電源監視回路６２１は電圧生成器６３１を動作させる制御信号６２１Ｏを出すと同時に電圧異常時動作表示信号６２１Ａをバス１や各種カ−ド群３４Ｎ内のＬＥＤ等の表示要素へと出す。前記電源監視回路６２２は電圧生成器６３２を動作させる制御信号６２２Ｏを出すと同時に電圧異常時動作表示信号６２２Ａをバス１や各種カ−ド群３４Ｎ内のＬＥＤ等の表示要素へと出す。異常の発生およびシステム継続中である事をシステム管理者に通知して、異常の発生した電源または電源バスを交換させる事ができる。
【００６８】
電源監視回路６２１から動作信号６２１Ｏを受けた電圧生成器６３１は、供給継続中のＣＶ電源からＢＶを生成し、ＢＶの電圧出力を、給電ライン２２Ｏ１を介してＢＶ動作ＬＳＩ群３４ＮＢおよび前記電圧生成器６３２に供給する。
【００６９】
前記電圧生成器６３１からＢＶを供給されると共に前記電源監視回路６２２から動作信号６２２Ｏを受けた電圧生成器６３２は、該供給されたＢＶからＡＶを生成し、ＡＶの電圧出力６３２Ｏを、給電ライン２１Ｏ１を介してＡＶ動作ＬＳＩ群３４ＮＡに供給する。
【００７０】
従って、ＡＶ供給電源２１やＡＶ供給電源２１からのバス１上のＡＶ電源、およびＢＶ供給電源２２やＢＶ供給電源２２からのバス１上のＢＶ電源、が双方とも停止または電圧低下した場合であっても、ＢＶ動作ＬＳＩ群３４ＮＢは電圧生成器６３１からの所定電圧ＢＶで通常動作を継続でき、ＡＶ動作ＬＳＩ群３４ＮＡは電圧生成器６３２からの所定電圧ＡＶで通常動作を継続できる。換言すれば、１種類でも供給継続中の電源があれば、残りの電源が供給停止または電圧低下してしまってもシステムの動作が継続できる。
【００７１】
【発明の効果】
この発明は、前述のように動作電圧の異なるＬＳＩに対応した電圧の電源を供給する電子制御装置への電源供給制御方式であって、前記各電圧を監視し、一の電圧の異常時に、他の正常な電圧の電源から、前記異常な一の電圧に対応するＬＳＩの動作電圧に変えた電圧を当該異常な一の電圧に対応するＬＳＩに供給するようにしたので、電圧の異なる複数の電源が供給されるシステムにおいて一の電圧の電源が停止したり電圧低下した場合や、電源バスに異常が発生した場合等においても、当該電圧の給電対象であるＬＳＩに正常な電圧を継続して給電できる効果を奏する。
【００７２】
また、前述のように動作電圧の異なる複数のＬＳＩ、及び前記動作電圧の異なるＬＳＩに対応した電圧の電源を備えた電子制御システムであって、前記電源の各電圧を監視する電源監視回路、及び前記電源監視回路により一の電圧の異常が検出されると他の正常な電圧の電源から前記異常な一の電圧に対応するＬＳＩの動作電圧に変えた電圧を当該異常な一の電圧に対応するＬＳＩに供給する電圧生成器を備えているので、前述のこの発明の電子制御装置への電源供給制御方式を実施する具体的な電子制御システムを実現できる効果を奏する。
【図面の簡単な説明】
【図１】この発明の実施の形態１〜３が適用される電子制御システムの構成の一例を示すブロック図。
【図２】この発明の実施の形態１を示す図で、電圧の異なる複数の電源（５Ｖ、および３．３Ｖ）の電圧が何れも正常な場合の電圧電源供給制御方式を実行する電源供給制御装置まわりの構成を示す図。
【図３】この発明の実施の形態１を示す図で、一の電源（５Ｖ）の電圧が異常な場合の電圧電源供給制御方式を実行する電源供給制御装置まわりの構成を示す図。
【図４】この発明の実施の形態１を示す図で、他の一の電源（３．３Ｖ）の電圧が異常な場合の電圧電源供給制御方式を実行する電源供給制御装置まわりの構成を示す図。
【図５】この発明の実施の形態１を示す図で、電源供給装置の接続回路の例を示す図。
【図６】この発明の実施の形態２を示す図で、電圧の異なる複数の電源（ＡＶ、ＢＶ。なお、Ａ≠Ｂ）の電圧が何れも正常な場合の電圧電源供給制御方式を実行する電源供給制御装置まわりの構成を示す図。
【図７】この発明の実施の形態２を示す図で、一の電源（ＡＶ）の電圧が異常な場合の電圧電源供給制御方式を実行する電源供給制御装置まわりの構成を示す図。
【図８】この発明の実施の形態３を示す図で、電圧の異なる複数の電源（ＡＶ、ＢＶ、およびＣＶ。なお、Ａ≠Ｂ、Ｂ≠Ｃ、Ｃ≠Ａである）の電圧が何れも正常な場合の電圧電源供給制御方式を実行する電源供給制御装置まわりの構成を示す図。
【図９】この発明の実施の形態３を示す図で、一の電源（ＡＶ）の電圧が異常な場合の電圧電源供給制御方式を実行する電源供給制御装置まわりの構成を示す図。
【図１０】この発明の実施の形態３を示す図で、２つの電源（ＡＶ及びＢＶ）の電圧が異常な場合の電圧電源供給制御方式を実行する電源供給制御装置まわりの構成を示す図。
【図１１】この発明の実施の形態３を示す図で、電源供給装置の接続回路の例を示す図。
【符号の説明】
３．３，５，Ａ，Ｂ，Ｃ  異なる電圧、
２１，２２，２３  電圧の異なる電源、
３４Ｎ３  ３Ｖ動作ＬＳＩ群、
３４Ｎ５  ５Ｖ動作ＬＳＩ群、
３４ＮＡ  ＡＶ動作ＬＳＩ群、
３４ＮＢ  ＢＶ動作ＬＳＩ群、
３４ＮＣ  ＣＶ動作ＬＳＩ群、
３４Ｎ  電子制御システムを構成するのに必要な各種カ−ド群、
６２１，６２２，６２３  電源監視回路、
６２１Ａ，６２２Ａ，６２３Ａ  電圧異常時動作表示信号、
６３１，６３２，６３３  電圧生成器。
【図１】
2004240509.tif 000003
【図２】
2004240509.tif 000004
【図３】
2004240509.tif 000005
【図４】
2004240509.tif 000006
【図５】
2004240509.tif 000007
【図６】
2004240509.tif 000008
【図７】
2004240509.tif 000009
【図８】
2004240509.tif 000010
【図９】
2004240509.tif 000011
【図１０】
2004240509.tif 000012
【図１１】
2004240509.tif 000013